(57)【特許請求の範囲】
【請求項１】
上下動して建物の開口部を遮蔽、開放するシャッターカーテンと、このシャッターカーテンの上下動を案内する左右のガイドレールと、前記シャッターカーテンの最下部部材であって、フック棒の先端が係合されてこのフック棒で引き下げ操作される水切り部材とを備えている建物用シャッターにおいて、
前記水切り部材に前記フック部材の先端が係合される係合部が設けられ、
前記水切り部材の底板部に、この底板部の長手方向に前記係合部まで形成されていて、前記フック棒の先端をこの係合部まで案内するガイド部が設けられ、
前記係合部が、前記水切り部材と、この水切り部材の上の前記シャッターカーテンの構成部材との連結部の真下位置またはほぼ真下位置に設けられていることを特徴とする建物用シャッター。
【請求項２】
請求項１に記載の建物用シャッターにおいて、前記水切り部材の係合部は、この水切り部材に上方へ膨出して形成された空間部に前記水切り部材の幅方向に横断して設けられた横断部材であることを特徴とする建物用シャッター。
【請求項３】
請求項１に記載の建物用シャッターにおいて、前記水切り部材の係合部は、この水切り部材に上方へ膨出して形成された空間部の内方へ延出して形成された延出部であることを特徴とする建物用シャッター。
【請求項４】
請求項２又は３に記載の建物用シャッターにおいて、前記空間部に挿入された前記フック棒の前記先端はこの空間部の頂部に当接可能であり、この頂部は、前記水切り部材と、この水切り部材の上の前記シャッターカーテンの構成部材との連結部の真下位置に形成されていることを特徴とする建物用シャッター。
【請求項５】
請求項２又は３に記載の建物用シャッターにおいて、前記フック棒は前記先端よりも下側に設けられた肩部を備え、この肩部からの前記先端の突出長さは前記空間部の深さよりも短く、前記先端をこの空間部に挿入させた前記フック棒の前記肩部を、前記空間部の下面開口部を跨ぐようにして前記水切り部材の下面に当接可能となっていることを特徴とする建物用シャッター。
【請求項６】
請求項１〜５のいずれかに記載の建物用シャッターにおいて、前記係合部は前記水切り部材の長手方向中央部の位置または長手方向ほぼ中央部の位置に設けられていることを特徴とする建物用シャッター。
【発明の詳細な説明】
【０００１】
【発明の属する技術分野】
本発明は、建物の開口部を遮蔽、開放するための建物用シャッターに係り、特に、フック棒でシャッターカーテンの水切り部材が引き下げ操作される建物用シャッターに関する。
【０００２】
【背景技術】
図１２は、建物に設けられている出入口等の開口部を遮蔽、開放するための手動式の建物用シャッター４０を示す。この建物用シャッター４０は、建物の開口部４１の左右に垂直に延設固定された一対のガイドレール４２と、最下部部材が水切り部材４３で、この水切り部材４３の上に多数のスラット４４が順次連設されて形成されたシャッターカーテン４５と、開口部４１の上部に取り付けられたシャッターボックス４６と、このシャッターボックス４６の内部に配置され、シャッターカーテン４５が繰り出し自在、巻き取り自在となっている巻き取り部４７とを含んで構成されている。
【０００３】
図１２のXIII−XIII線断面図である図１３に示すように、水切り部材４３は、底板部４３Ａと、底板部４３Ａの幅方向中央部から立ち上がった立ち上がり部４３Ｂと、立ち上がり部４３Ｂの上端に形成され、水切り部材４３の上のシャッターカーテン４５の構成部材であるスラット４４と回動自在に係合したカール部４３Ｃとを備えている。シャッターカーテン４５を巻き取り部４７から繰り出して開口部４１を遮蔽するときには、図１３のXIV−XIV線断面図である図１４に示されているように、底板部４３Ａに係合孔４８が形成されているため、この係合孔４８に図１５で示されているフック棒５０の先端５０Ａを挿入係合し、そしてフック棒５０で水切り部材４３を引き下げ操作し、これにより左右のガイドレール４２で案内されながら途中まで下降したシャッターカーテン４５を手や足等で全閉まで下降させる。
【０００４】
シャッターカーテン４５を上昇させて開口部４１を開放するときには、手が届くところまでシャッターカーテン４５を手で押し上げ、それ以上は、図１６に示すように、フック棒５０の先端５０Ａを係合孔４８に挿入してフック棒５０の肩部５０Ｂで水切り部材４３の底板部４３Ａの下面を押し、シャッターカーテン４５を上昇させる。シャッターボックス４６内の巻き取り部４７には、シャッターカーテン４５の下降時にばね力が蓄圧されるリターンスプリングが組み込まれているため、シャッターカーテン４５を手やフック棒５０で軽く押し上げるだけで、シャッターカーテン４５はリターンスプリングのばね力により巻き取り部４７に巻き取られてシャッターボックス４６に格納される。
【０００５】
【発明が解決しようとする課題】
以上において、従来の建物シャッターでは、フック棒５０の先端５０Ａを係合する係合孔４８は、図１４〜図１６で示されているように、水切り部材４３の底板部４３Ａにおいて、幅方向中央位置である立ち上がり部４３Ｂの位置から離れた幅方向偏心部に形成されていた。
【０００６】
このため、先端５０Ａを係合孔４８に係合したフック棒５０で水切り部材４３の引き下げ操作を行ったとき、水平姿勢となっていた水切り部材４３は、図１５に示されているように、水切り部材４３におけるスラット４４との連結部であるカール部４３Ｃを中心に回動して傾斜姿勢となり、この結果、図１４に示されているガイドレール４２のガイド開口部４２Ａと、このガイド開口部４２Ａに挿入されている水切り部材４３の長手方向の端部４３Ｄとが接触し、この状態のままシャッターカーテン４５はガイドレール４２に対して移動するため、ガイド開口部４２Ａと水切り部材４３の端部４３Ｄとの塗装が剥がれてこれらの部分に錆が発生したり、これらが擦れることによる異音が発生する問題が生じ、また、シャッターカーテン４５をガイドレール４２に沿って移動させるために大きな力が必要になるという問題もあった。
【０００７】
また、シャッターカーテン４５を上昇させるために図１６で示したフック棒５０の肩部５０Ｂで水切り部材４３を押し上げ操作したときにも水切り部材４３は傾斜姿勢となるため、以上と同様な問題はシャッターカーテン４５を開き動作させるときにも生じていた。
【０００８】
本発明の目的は、フック棒で水切り部材を引き下げ操作と押し上げ操作をしたとき、少なくとも引き下げ操作時に水切り部材が傾斜姿勢にならず、水切り部材を水平姿勢またはほぼ水平姿勢に維持させたまま水切り部材を引き下げ操作できるようになる建物用シャッターを提供するところにある。
【０００９】
【課題を解決するための手段】
本発明に係る建物用シャッターは、上下動して建物の開口部を遮蔽、開放するシャッターカーテンと、このシャッターカーテンの上下動を案内する左右のガイドレールと、シャッターカーテンの最下部部材であって、フック棒の先端が係合されてこのフック棒で引き下げ操作される水切り部材とを備えている建物用シャッターにおいて、フック棒の先端が係合される前記水切り部材の係合部を、この水切り部材と、この水切り部材の上のシャッターカーテンの構成部材との連結部の真下位置またはほぼ真下位置に設けたことを特徴とするものである。
【００１０】
本発明によると、フック棒の先端が係合される前記水切り部材の係合部は、水切り部材と、水切り部材の上のシャッターカーテンの構成部材との連結部の真下位置またはほぼ真下位置に設けられているため、フック棒で水切り部材の引き下げ操作を行ったとき、水切り部材はシャッターカーテンの構成部材との連結部を中心に回動せずまたは殆ど回動せず、このため、水切り部材は本来の水平姿勢またはほぼ水平姿勢を維持し、そして、この状態のままシャッターカーテンはガイドレールに沿って移動するため、ガイドレールのガイド開口部と水切り部材の長手方向端部とが接触することによる錆や異音の発生の問題を解決でき、また、シャッターカーテンを小さな力で軽快に移動させることもできるようになる。
【００１１】
なお、上述の「水切り部材と、この水切り部材の上のシャッターカーテンの構成部材との連結部のほぼ真下位置」とは、水切り部材の係合部にフック棒の先端を係合して引き下げ操作したときに、ガイドレールのガイド開口部と水切り部材の長手方向端部とが接触することがない範囲にある全部の位置をいう。また、水切り部材とシャッターカーテンの構成部材との連結部が水切り部材の幅方向中央部にあるときには、上述の「この水切り部材と、この水切り部材の上のシャッターカーテンの構成部材との連結部の真下位置またはほぼ真下位置」とは、水切り部材の幅方向中央部の位置または幅方向ほぼ中央部の位置となる。
【００１２】
以上において、フック棒の先端を係合させるための水切り部材の係合部は、フック棒の先端を係合させることができればどのような形状、構造の係合部であってもよい。
【００１３】
例えば、その第１番目の例は、水切り部材の係合部を、この水切り部材に上方へ膨出形成した空間部に横断させて設けた横断部材とすることである。この例における横断部材は、例えばピンであり、あるいはワイヤーである。
【００１４】
第２番目の例は、水切り部材の係合部を、この水切り部材に上方へ膨出形成した空間部の内方へ延出させた延出部とすることである。この延出部は、空間部の全周に亘って設けてもよく、空間部の一部だけに設けてもよい。
【００１５】
これらの例の他、水切り部材の係合部は、水切り部材に形成した孔でもよく、また突起でもよい。この突起は、水切り部材に一体に形成したものでもよく、また、水切り部材とは別の部材からなり、水切り部材に接合等して一体化したものでもよい。
【００１６】
水切り部材の係合部を孔としない場合には、係合部およびその周辺を塗装等による被膜で被覆できるため、錆の発生を防止できることになる。水切り部材の係合部を孔とした場合であっても、孔開け加工後、塗装等による被膜の形成作業を行うことにより、錆の発生を防止できる。
【００１７】
また、水切り部材の係合部を水切り部材の下面に設けた場合には、シャッターカーテンの全閉時にこの係合部は見えなくなるため、良好な外観性を得られるようになる。
【００１８】
水切り部材には、フック棒と関係するものとしてフック棒の先端を係合する係合部のみを設けてもよいが、水切り部材に、この係合部の他に、係合部まで延びていてフック棒の先端をこの係合部まで案内するガイド部を形成することがよりよいことである。
【００１９】
このように、水切り部材に、係合部まで延びていてフック棒の先端をこの係合部まで案内するガイド部を形成しておくと、フック棒の先端をガイド部の案内作用によって容易に係合部に係合できるようになる。この作用効果は、建物用シャッターが取り付けられている建物の開口部の上下寸法が大きく、全開状態になっているシャッターカーテンの高い位置にある水切り部材の係合部にフック棒の先端を係合しなければならないときに、特に顕著となる。
【００２０】
ガイド部は、例えば、ガイド溝でよく、あるいはガイド孔でもよい。
【００２１】
また、フック棒の先端を係合する水切り部材の係合部は、水切り部材の長手方向中央部から離れた位置に設けてもよいが、長手方向中央部の位置または長手方向ほぼ中央部の位置に設けることがよりよいことである。
【００２２】
水切り部材の係合部を水切り部材の長手方向中央部の位置または長手方向ほぼ中央部に位置に設けておくと、フック棒で水切り部材を引き下げ操作したときに、水切り部材長手方向が水平方向に対して傾斜するのを抑制できるようになる。
【００２３】
また、水切り部材の係合部は、水切り部材の長手方向に離間させて複数個設けてもよい。このように係合部の個数を複数とすると、フック棒で水切り部材を引き下げ操作する人は、この人がいる場所に応じてフック棒の先端を係合する係合部を選択できるようになり、その引き下げ操作を行い易くなる。
【００２４】
本発明は、水切り部材をフック棒で引き下げ操作してシャッターカーテンをガイドレールに沿って下降させるようになっている全部の建物用シャッターに適用でき、その一例は車庫用シャッターであり、また、他の例は、店舗の間口用シャッターであり、さらに他の例は、防火用シャッターや防煙用シャッター等の防災用シャッターである。
【００２５】
また、本発明は、シャッターカーテンの前記構成部材がスラットとなっているスラット型建物用シャッターはもちろんのこと、この構成部材がシートとなっているロールスクリーン型建物用シャッター、構成部材がパネルとなっているパネル型建物用シャッター、構成部材がパイプとなっているパイプ型建物用シャッター等にも適用できる。
【００２６】
また、本発明はシャッターカーテンの最下部部材である前記水切り部材がいわゆる座板と呼ばれている建物用シャッターにも適用でき、シャッターカーテンの最下部部材の名称のいかんを問わずフック棒で引き下げ操作される全部の建物用シャッターに適用できる。
【００２７】
【発明の実施の形態】
以下に本発明のそれぞれの実施形態を図面に基づいて説明する。以下の説明において、図１２〜図１６で示されているものと同じものには同一符号を付し、その説明を簡略または省略する。すなわち、４２はガイドレール、４２Ａはそのガイド開口部、４４はスラット、４５はシャッターカーテン、５０はフック棒、５０Ａはその先端、５０Ｂはその肩部である。
【００２８】
図１は第１実施形態に係るシャッターカーテン４５の水切り部材３を示し、図２は、この水切り部材３の底面図である。水切り部材３は、底板部３Ａと、この底板部３Ａの幅方向中央部に上方へ突出して形成された断面湾曲状の突出部３Ｂと、この突出部３Ｂの頂部から立ち上がった立ち上がり部３Ｃと、この立ち上がり部３Ｃの上端に形成され、水切り部材３の上のシャッターカーテン４５の構成部材であるスラット４４との連結部であるカール３Ｄとを有する。突出部３Ｂの内部は下面が開口して上方へ膨出している空間部４になっており、これらの突出部３Ｂと空間部４は、底板部３Ａの全長に亘って設けられている。
【００２９】
底板部３Ａの全長に亘って連続している空間部４における水切り部材３の長手方向中央部（底板部３Ａの長手方向中央部）には、空間部４を横断する横断部材であるピン５が設けられ、このピンは、例えばリベットからなり、両端部は大径部５Ａとなっていて、これらの大径部５Ａによりピン５の抜け止めがなされている。そして、空間部４は、スラット４４との連結部であるカール部３Ｄの真下位置に設けられているため、フック棒５０の先端５０Ａを係合するための係合部になっているピン５は、カール部３Ｄの真下に配置されている。
【００３０】
全開状態になっているシャッターカーテン４５をガイドレール４２に沿って下降させるときには、フック棒５０の先端５０Ａを空間部４の任意な箇所に挿入し、ピン５までの空間部４をガイド部６として利用しながら先端５０Ａをピン５側へ移動させ、ピン５の位置に達したときに、先端５０Ａをピン５に係合する。そして、フック棒５０による水切り部材３の引き下げ操作を行う。
【００３１】
この実施形態によると、フック棒５０の先端５０Ａを係合するピン５０は、水切り部材３と、この水切り部材３の上のスラット４４との連結部の真下位置に配置されているため、フック棒５０で水切り部材３を引き下げ操作したときに、水切り部材３は水平姿勢を維持したまま引き下げられることになる。このため、シャッターカーテン４５の下降時に、ガイドレール４２のガイド開口部４２Ａと、このガイド開口部４２Ａに挿入されている水切り部材３の長手方向端部とが接触することがなく、したがって、これらの塗装が剥げて錆が発生することや異音が発生することはなく、また、シャッターカーテン４５を軽快に下降させることができる。
【００３２】
また、上方へ膨出形成された空間部４は、ピン５が配置された箇所だけに設けられているのではなく、このピン５から遠い位置の底板部３Ａの長手方向端部から形成されていて、ピン５の位置まで延びているため、この空間部４を、フック棒５の先端５０Ａをピン５の位置まで案内するための溝状ガイド部６とすることができ、フック棒５０の先端５０Ａをピン５に直接係合しなくてもよいため、この係合作業を容易に行えるようになる。
【００３３】
また、ピン５は水切り部材３の下面側に配置されているため、シャッターカーテン４５を全閉としたときには隠れることになり、このため、外観性を良好にすることができる。
【００３４】
さらに、ピン５は水切り部材３の長手方向中央部に配置されているため、フック棒５０による水切り部材３の引き下げ操作を行ったとき、水切り部材３の長手方向が水平方向に対して傾くことがなく、このため、水切り部材３の底板部３Ａの長手方向端部がガイドレール４２と接触することもない。
【００３５】
図３は、シャッターカーテン４５を開き動作させるためにフック棒５０で水切り部材３を押し上げるときを示している。このときにはフック棒５０の先端５０Ａを空間部４に挿入し、そのままフック棒５０を突き上げて水切り部材３を押し上げる。フック棒５０の先端５０Ａが頂部に当接する空間部４は、水切り部材３と、この水切り部材３の上のスラット４４との連結部の真下位置に形成されているため、この押し上げ時にも水切り部材３は水平姿勢を維持したまま押し上げられることになり、塗装の剥げによる錆の発生の防止や異音の発生の防止等の前述した引き下げ時と同様な効果を得られる。
【００３６】
図４は、図３とは異なる方法で水切り部材３を押し上げるときを示している。このときに使用するフック棒５０’は、肩部５０Ｂ’からの先端５０Ａ’の突出長さが空間部４の深さよりも短いものである。空間部４の下面開口部を跨ぐようにして肩部５０Ｂ’を水切り部材３の底板部３Ｂの下面に当接させ、そのままフック棒５０’を突き上げて水切り部材３を押し上げる。この押し上げ方法によっても、図３と同じ効果を得られる。
【００３７】
図５は第２実施形態に係るシャッターカーテン４５の水切り部材１３を示し、図６は、この水切り部材１３の底面図で、図７は、図６のVII−VII線断面図である。この実施形態の水切り部材１３も、底板部１３Ａと、この底板部１３Ａの幅方向中央部に上方へ突出して形成された断面湾曲状の突出部１３Ｂと、この突出部１３Ｂの頂部から立ち上がった立ち上がり部１３Ｃと、この立ち上がり部１３Ｃの上端に形成され、水切り部材１３の上のスラット４４との連結部になっているカール部１３Ｄとを有する。突出部１３Ｂの内部は下面が開口して上方へ膨出している空間部１４であり、これらの突出部１３Ｂと空間部１４は、底板部３Ａの長手方向中央部（水切り部材１３の長手方向中央部）に短寸で設けられている。
【００３８】
空間部１４には、空間部１４の内方へ延出した延出部１５が形成され、この延出部１５は、本実施形態では底板部１３Ａにおける空間部１４側への延長部となっている。図６、図７に示されているように、延出部１５は空間部１４の全周に亘って設けられ、空間部１４の底面形状は長円状であるため、フック棒５０の先端５０Ａを係合するための係合部である延出部１５は、水切り部材１３の幅方向両側の直線状の第１箇所１５Ａと、水切り部材１３の長手方向両側の湾曲状の第２箇所１５Ｂとからなる。そして、空間部１４は、水切り部材１３におけるスラット４４との連結部であるカール部１３Ｄの真下位置に設けられているため、延出部１５はカール部１３Ｄの真下とほぼ真下とに亘って設けられている。
【００３９】
図６と図７に示されているように、底板部１３Ａの下面には、底板部１３Ａの長手方向両端部から延びるガイド部としてのガイド溝１６が形成され、このガイド溝１６は、図７で示された傾斜部１６Ａを介して空間部１４の延出部１５まで延びている。
【００４０】
全開状態のシャッターカーテン４５をガイドレール４２に沿って下降させるときには、フック棒５０の先端５０Ａをガイド溝１６の任意な箇所に挿入し、この先端５０Ａをガイド溝１６で案内させながら空間部１４側へ移動させ、空間部１４の位置に達したときに、先端５０Ａを延出部１５の第１箇所１５Ａまたは第２箇所１５Ｂに係合する。そして、フック棒５０による水切り部材３の引き下げ操作を行う。
【００４１】
この実施形態によっても、前記実施形態と同様な効果を得られる。なお、フック棒５０の先端５０Ａを延出部１５の第１箇所１５Ａに係合したときには、この第１箇所１５Ａの位置はカール部１３Ｄの正確な真下位置ではなく、ほぼ真下位置になっているため、水切り部材１３は少し傾くことになるが、この傾き量は僅かであるため、ガイドレール４２のガイド開口部４２Ａと、このガイド開口部４２Ａに挿入されている水切り部材１３の長手方向端部とが接触することはない。
【００４２】
図８は、空間部１４に設ける延出部の変形例を示す。この変形例の延出部１５’は、ガイド溝１６の底部より上部に形成されており、このため、ガイド溝１６の延出部１５’まで延びる傾斜部１６Ａ’は、延出部１５’に向かって上がり傾斜している。このため、この実施形態によると、図７の場合よりもフック棒５０の先端５０Ａをガイド溝１６を使用して延出部１５’に係合する作業を容易、確実に行えることになる。
【００４３】
図９は第３実施形態に係るシャッターカーテン４５の水切り部材２３を示し、図１０は、この水切り部材２３の底面図で、図１１は、図９の一部拡大図である。この実施形態の水切り部材２３も、底板部２３Ａと、この底板部２３Ａの幅方向中央部に上方へ突出して形成された断面湾曲状の突出部２３Ｂと、この突出部２３Ｂの頂部から立ち上がった立ち上がり部２３Ｃと、この立ち上がり部２３Ｃの上端に形成され、水切り部材２３の上のスラット４４との連結部になっているカール部２３Ｄとを有する。突出部２３Ｂの内部は下面が開口して上方へ膨出している空間部２４になっており、これらの突出部２３Ｂと空間部２４は、底板部２３Ａの長手方向中央部（水切り部材２３の長手方向中央部）に短寸で形成されている。
【００４４】
空間部２４には、この空間部２４を横断する横断部材であるワイヤー２５が設けられ、空間部２４は水切り部材２３におけるスラット４４との連結部であるカール部２３Ｄの真下位置に形成されているため、フック棒５０の先端５０Ａを係合するための係合部であるワイヤー２５もカール部２３Ｄの真下に配置されている。図１１に示されているように、ワイヤー２５の両端には係止部２５Ａが設けられ、これらの係止部２５Ａは、空間部２４の内壁の内部に形成された凹部２７に嵌入係止されている。この凹部２７は水切り部材２３の長手方向に長くなっており、かつ同方向に長い連通部２７Ａを介して空間部２４と連通しているため、係止部２５Ａを水切り部材２３の長手方向に長さが長くなるように向きを変えてから連通部２７Ａを介して凹部２７に嵌入し、次いで係止部２５Ａを９０度回動させることにより、係止部２５Ａが凹部２７に係止されてワイヤー２５は空間部２４に横断して架設される。
【００４５】
図１０に示されているように、底板部２３Ａの下面には、底板部２３Ａの長手方向両端部から延びるガイド部としてのガイド溝２６が形成され、このガイド溝２６は、空間部２４のワイヤー２５まで延びている。
【００４６】
全開状態のシャッターカーテン４５をガイドレール４２に沿って下降させるときには、これまでの実施形態と同様に、フック棒５０の先端５０Ａをガイド溝２６の任意な箇所に挿入し、この先端５０Ａをガイド溝２６で案内させながら空間部２４側へ移動させ、空間部２４の位置に達したときに、先端５０Ａをワイヤー２５に係合する。そして、フック棒５０による水切り部材３の引き下げ操作を行う。
【００４７】
この実施形態によっても、これまでの実施形態と同様な効果を得られる。
【００４８】
なお、この実施形態におけるガイド溝２６と図５〜図８の実施形態のガイド溝１６を、図１〜図４の実施形態と同様に、空間部２４，１４がそのまま水切り部材２３，１３の長手方向に連続したものとしてもよい（図５〜図８の実施形態のガイド溝１６を、図１〜図４の実施形態と同様に、空間部１４がそのまま水切り部材１３の長手方向に連続したものとした場合には、延出部１５，１５’は第１箇所１５Ａのみとする）。また、図１〜図４の実施形態において、図５〜図８と図９〜図１１の実施形態と同様に、空間部４とは別のガイド溝を水切り部材３の底板部３Ａの下面に設け、このガイド溝を空間部４のピン５まで延ばしてもよい。
【００４９】
そして、図５〜図８と図９〜図１１の実施形態において、シャッターカーテン４５を開き動作させるため、フック棒で水切り部材１３，２３を押し上げるときには、図３、図４で説明した方法と同じ方法で押し上げることができる。
【００５０】
【発明の効果】
本発明によると、フック棒でシャッターカーテンの水切り部材を引き下げ操作しても、水切り部材が傾斜姿勢にならず、水切り部材を水平姿勢またはほぼ水平姿勢に維持させたまま水切り部材を引き下げ操作できるという効果を得られる。
【図面の簡単な説明】
【図１】本発明の第１実施形態に係るシャッターカーテンの水切り部材部分の断面図である。
【図２】図１の水切り部材の底面図である。
【図３】第１実施形態に係るシャッターカーテンの水切り部材を押し上げるときを示す断面図である。
【図４】第１実施形態に係るシャッターカーテンの水切り部材を図３とは異なる方法で押し上げるときを示す断面図である。
【図５】第２実施形態に係るシャッターカーテンの水切り部材部分の断面図である。
【図６】図５の水切り部材の底面図である。
【図７】図６のVII−VII線断面図である。
【図８】第２実施形態に係るシャッターカーテンの水切り部材に形成する延出部の変形例を示す図７と同様の図である。
【図９】第３実施形態に係るシャッターカーテンの水切り部材部分の断面図である。
【図１０】図９の水切り部材の底面図である。
【図１１】図９の一部拡大図である。
【図１２】建物用シャッターの全体正面図である。
【図１３】図１２のXIII−XIII線断面図で、従来の水切り部材を示す水切り部材部分の断面図である。
【図１４】図１３のXIV−XIV線断面図である。
【図１５】図１３、図１４の水切り部材をフック棒で引き下げ操作したときを示す断面図である。
【図１６】図１３、図１４の水切り部材をフック棒で押し上げ操作したときを示す断面図である。
【符号の説明】
３，１３，２３  水切り部材
３Ｄ，１３Ｄ，２３Ｄ  水切り部材におけるシャッターカーテンの構成部材であるスラットとの連結部であるカール部
４，１４，２４  空間部
５  係合部、横断部材であるピン
６  ガイド部
１５，１５’  係合部である延出部
１６  ガイド部であるガイド溝
２５  係合部、横断部材であるワイヤー
２６  ガイド部であるガイド溝
４０  建物用シャッター
４１  開口部
４２  ガイドレール
４４  シャッターカーテンの構成部材であるスラット
４５  シャッターカーテン
５０，５０’  フック棒
５０Ａ  フック棒の先端
【図１】
0003819128.tif 000002
【図２】
0003819128.tif 000003
【図３】
0003819128.tif 000004
【図４】
0003819128.tif 000005
【図５】
0003819128.tif 000006
【図６】
0003819128.tif 000007
【図７】
0003819128.tif 000008
【図８】
0003819128.tif 000009
【図９】
0003819128.tif 000010
【図１０】
0003819128.tif 000011
【図１１】
0003819128.tif 000012
【図１２】
0003819128.tif 000013
【図１３】
0003819128.tif 000014
【図１４】
0003819128.tif 000015
【図１５】
0003819128.tif 000016
【図１６】
0003819128.tif 000017